(57)【要約】      （修正有）【課題】窓部材を有するフラッシュパネルにおいて、窓部材を表面板と同一平面上に連結するとともに、窓部材が強固に固定されたフラッシュパネルを提供する。【解決手段】芯材２と、芯材２の両側に取り付けられた表面板３と、芯材２および表面板３に設けられた開口部６に取り付けられる窓部材４であって、少なくとも一方の表面板３と同一平面上に設けられる窓部材４とを具え、表面板３が、開口部６の窓部材４と連結する部分に、階段状の切り欠き凹部３ａと係合凸部３ｂを有し、窓部材４が、その縁部において表面板３と連結する部分に、階段状の切り欠き凹部４ａと係合凸部４ｂを有し、表面板３の係合凸部３ｂと窓部材４の切り欠き凹部４ａとが係合し、表面板３の切り欠き凹部３ａと窓部材４の係合凸部４ｂとが係合していることにより、一方の表面板３の外側表面と窓部材４の外側表面とが同一平面上に存在し、窓部材４の係合凸部４ｂが、表面板３の係合凸部３ｂと芯材２との間に挟まれる。【選択図】図４ｂ
0003213833.tif 000002
【実用新案登録請求の範囲】
【請求項１】
内装建具および家具用のフラッシュパネルにおいて、
芯材と、
前記芯材の両側に取り付けられた表面板と、
前記芯材および前記表面板に設けられた開口部に取り付けられた窓部材であって、少なくとも一方の表面板と同一平面上に設けられた窓部材とを具え、
前記表面板が、前記開口部の前記窓部材と連結する部分に、階段状の切り欠き凹部と係合凸部を有し、
前記窓部材が、その縁部において前記表面板と連結する部分に、階段状の切り欠き凹部と係合凸部を有し、
前記表面板の係合凸部と前記窓部材の切り欠き凹部とが係合し、前記表面板の切り欠き凹部と前記窓部材の係合凸部とが係合していることにより、前記一方の表面板の外側表面と前記窓部材の外側表面とが同一平面上に存在し、
前記窓部材の係合凸部が、前記表面板の係合凸部と前記芯材との間に挟まれていることにより、前記窓部材が前記表面板と前記芯材との間に固定されていることを特徴とするフラッシュパネル。
【請求項２】
請求項１に記載のフラッシュパネルにおいて、前記窓部材の切り欠き凹部の高さが、前記表面板の係合凸部の厚みと等しいかわずかに大きいことを特徴とするフラッシュパネル。
【請求項３】
請求項１または２に記載のフラッシュパネルにおいて、
前記窓部材の係合凸部が、前記表面板の係合凸部および前記芯材の間で接着剤により固定されていることを特徴とするフラッシュパネル。
【請求項４】
請求項１乃至３のいずれか１項に記載されたフラッシュパネルにおいて、
前記窓部材が、一方の表面板側にのみ設けられていることを特徴とするフラッシュパネル。
【請求項５】
請求項４に記載のフラッシュパネルにおいて、
前記窓部材から延びる前記芯材の木口部分に、化粧材が貼られていることを特徴とするフラッシュパネル。
【請求項６】
請求項１乃至５のいずれか１項に記載のフラッシュパネルにおいて、
前記表面板の厚さと前記窓部材の厚さとが同じであることを特徴とするフラッシュパネル。
【請求項７】
請求項１乃至６のいずれか１項に記載のフラッシュパネルにおいて、
前記窓部材がアクリル樹脂板であることを特徴とするフラッシュパネル。
【請求項８】
請求項１乃至７のいずれか１項に記載のフラッシュパネルにおいて、前記表面板が前記芯材に酢酸化ビニル樹脂系エマルジョン系接着剤で固定され、前記アクリル樹脂板が前記表面板の係合凸部と前記芯材との間でシリル化ウレタン樹脂系接着剤によって固定されていることを特徴とするフラッシュパネル。
【考案の詳細な説明】
【技術分野】
【０００１】
本考案は、ドア、引き戸、観音扉、クローゼット用扉などの内装用建具や家具を形成するフラッシュパネルに関する。
【背景技術】
【０００２】
従来から、内装用建具や家具において、フレームコアとなる芯材の両面に表面化粧板を貼ったフラッシュパネルが幅広く使用されてきた。
【０００３】
一方、隣の部屋や扉の奥を見えるように窓を設けたドアや引き戸、家具扉などの建具や家具も従来から広く使用されてきた。従来は、フラッシュパネルにこのような窓を設ける場合は、フラッシュパネルに開口部を設けて、飾り縁や額縁となるモール材を使用してこの開口部にアクリル板やガラスを固定する方法が一般的であった。
【０００４】
しかしながら、飾り縁となるモール材を使用した場合、飾り縁がフラッシュパネルの表面板から突出するため、必然的に表面板と飾り縁に段差ができることになる。このモール材の突出した部分により、引き戸を開けた状態で重ねる際には引き戸と引き戸の間にクリアランスを設けることが必要となる。さらに、一般的には、飾り縁となるモール材の断面の中央部分で窓部材を固定するため、モール材の突出した外側部分と窓部材との間にも必然的に段差が生じることになる。
【０００５】
このような、フラッシュパネルの表面板と飾り縁との段差や、飾り縁と窓部材との段差は、意図せずに引き戸やドアなどの建具が開閉する原因となりうる。特に透明な窓は、隣の部屋がどうなっているのか覗き込む機会が多いため、ユーザが窓の部分に手を掛けることが多く、窓部分の段差に手を掛けた場合、意図せずにドアや引き戸が開閉して手や指を挟む危険がある。特に、体重の軽い幼児の場合、引き戸の窓の段差に手を掛けていて意図せずに引き戸が開いてしまうと、引き戸に引きずられて、指を挟んだり転倒してしまう危険がある。
【０００６】
このような観点から、窓部分とフラッシュパネルの表面板にできるだけ段差がないような建具や家具を製造することが望まれてきた。
【先行技術文献】
【特許文献】
【０００７】
【特許文献１】特開平１１−７１９７１号公報
【特許文献２】特許第４８８０５２９号公報
【０００８】
飾り縁となるモール材と表面板との段差を少なくするために、特開平１１−７１９７１号においては、モール材の厚みがフラッシュパネルの厚みとほぼ等しい建具が開示されている。この構成により、モール材が建具の表面板よりも外側に突出しないようになり、モール材と表面板との間の段差をより少なくすることが可能となる。
【０００９】
しかしながら、この特開平１１−７１９７１号において窓部材は、モール材の断面の中央で固定されるため（図１参照）、必然的にモールの外側部分と窓部材との間に段差が生じて、窓部材と表面板との間にも段差が生じることになる。
【００１０】
特許第４８８０５２９号のフラッシュ構造ドアにおいては、モール材を用いずに、窓部材をフラッシュパネルに固定し、窓部材と表面板との間にできるだけ段差が生じないような技術が開示されている。ここでは、表面板と窓部材の連結部分がそれぞれ階段状に切り欠きを有して、互いの凸部と凹部を連結させた状態で、接着剤により表面板と窓部材を固定している（図２参照）。
【００１１】
しかしながら、特許第４８８０５２９号のフラッシュ構造ドアにおける窓部材は、外からの力に弱いという欠点がある。この窓ガラスは図２に示すように接着剤によってのみ固定されているため、ドアの外側部分から内側に窓に力をかけた場合に、窓と表面板との接着が必然的に脆くなってしまう。また、ドアや引き戸は、開閉によって必然的に振動を伴うために、長年の使用によりこのような窓の固定は脆弱になるという問題がある。
【００１２】
そこで、本考案の目的は、フラッシュパネルの表面板との間に段差ができないように取り付けられるとともに、フラッシュパネルに強固に固定された窓部材を提供することである。
【考案の概要】
【００１３】
本考案の内装建具および家具用のフラッシュパネルは、芯材と、芯材の両側に取り付けられた表面板と、芯材および表面板に設けられた開口部に取り付けられる窓部材であって、少なくとも一方の表面板と同一平面上に設けられる窓部材とを具え、表面板が、開口部の前記窓部材と連結する部分に、階段状の切り欠き凹部と係合凸部を有し、窓部材が、その縁部において前記表面板と連結する部分に、階段状の切り欠き凹部と係合凸部を有し、表面板の係合凸部と窓部材の切り欠き凹部とが係合し、表面板の切り欠き凹部と窓部材の係合凸部とが係合していることにより、一方の表面板の外側表面と窓部材の外側表面とが同一平面上に存在し、窓部材の係合凸部が、表面板の係合凸部と前記芯材との間に挟まれることにより、前記窓部材が前記表面板と前記芯材との間に固定されていることを特徴とする。
【００１４】
上記実施例において、窓部材の切り欠き凹部の高さが、表面板の係合凸部の厚みと等しいかわずかに大きいように構成することができる。
【００１５】
一実施形態において、窓部材の係合凸部は、前記表面板の係合凸部および前記芯材の間で接着剤により固定することができる。
【００１６】
本考案のフラッシュパネルは、窓部材を、両側の表面板に設けることもできるし、一方の表面板側にのみ設けることもできる。窓部材を一方の表面板側にのみ設ける場合、窓部材から鉛直方向に延びる前記芯材の木口部分に、化粧材が貼られていることが望ましい。
【００１７】
表面板の厚さと窓部材の厚さが同じであることが、窓部材の固定において望ましい。
【００１８】
本考案のフラッシュパネルの窓部材は、透明なアクリル樹脂板やガラス板を使用することができるし、通気性を確保するための有孔ボードや網状の板を使用することもできる。
【００１９】
表面板と芯材との固定には酢酸化ビニル樹脂系エマルジョン型接着剤を用いて、アクリル樹脂板と表面板および芯材との固定にはシリル化ウレタン樹脂系接着剤を用いることができる。
【考案の効果】
【００２０】
本考案の上記構成により、表面板の外面と窓部材の外面とが段差なく同一表面上に設けられるとともに、窓部材が表面板と芯材との間に挟まれて固定されることにより、強固に固定された窓部材を提供することができる。
【図面の簡単な説明】
【００２１】
【図１】図１は、従来技術における、モール材を用いた窓部材のフラッシュパネルの取付を示す。
【図２】図２は、従来技術における、モール材を使用しない窓部材のフラッシュパネルの取付を示す。
【図３】図３ａ−３ｃは、一実施例における本考案のフラッシュパネルを示す。
【図４ａ】図４ａは、本考案のフラッシュパネルの断面図を示す。
【図４ｂ】図４ｂは、本考案のフラッシュパネルの断面図であり、図４ａを拡大したものである。
【図５】図５は、一実施例における本考案のフラッシュパネルの裏面の一部の斜視図である。
【考案を実施するための形態】
【００２２】
本考案におけるフラッシュパネルの実施形態を、図面を参照して以下に説明する。図３は、本考案におけるフラッシュパネル１の斜視図である。フラッシュパネル１は、フレームコアとなる芯材２と、芯材２の両面に貼られた表面板３とを具える。本考案の構成の理解のため、図３のフラッシュパネル１は、芯材２の木口面に化粧材が貼られていない状態である。
【００２３】
芯材２は、合板やパーティクルボード等の材料により形成することができる。建具や家具の扉として使用する場合は、芯材２はフレームとなる骨組みにのみ存在すればよいが、カウンターやテーブルとして使用する場合は、強度の観点から、芯材２は窓部材の場所以外に開口部が無いように構成されることが望ましい。当然のことながら、扉として使用する場合においても、窓部材４の場所以外に開口がないように芯材２を構成することも可能である。
【００２４】
表面板３は、合板に木目などが印刷されたシートを貼った化粧合板や、突き板、板材、ボード等、建具や家具の表面材として使用される材料を用いることができる。表面板３を芯材３の両側に接着剤、釘、ねじ等により固定して、フラッシュパネルの表面が形成される。
【００２５】
窓部材４は、アクリル樹脂板やガラスなどで構成されており、透明窓や採光用の窓としての機能を果たす。また、窓部材４には、通気性を確保するための有孔ボードや網状の板を使用することも可能である。窓部材４の形状は、図３ａでは正方形であるが、図３ｂの三角形や、図３ｃの丸形など適切な任意の形状とすることができる。
【００２６】
本考案のフラッシュパネル１は、少なくとも一方の面の任意の位置に窓部材４を有する。窓部材４は、芯材２とその両側の表面板３に位置を合わせて設けられた開口部に取り付けられている。窓部材４の大きさや位置は、引き戸、ドア、家具扉などの種類や用途に応じて適切に変更することができる。ここで本考案の窓部材４の外側表面と、一方の表面板の外側表面は同一表面に存在する。つまり、窓部材４と隣接する表面板３との間に段差はなく、額縁などのモール材は使用していない。
【００２７】
窓部材４とフラッシュパネル１との取付構造を、フラッシュパネル１の断面図４ａと４ｂに示している。図４ａに示すように、芯材２の両側にフラッシュパネル１の表面板３が取り付けられ、一方の表面板３と窓部材４との外側表面には段差がなく、同一平面上に存在している。
【００２８】
図４ｂに詳細に示すように、窓部材４と隣接する表面板３は、窓部材４と連結する開口部６の端部面において、切り欠き加工がなされており、階段状の切り欠き凹部３ａと係合凸部３ｂとを有している。同様に、薄板状の窓部材４も、表面板３と連結する端部面に切り欠き加工がなされており、階段状の切り欠き凹部４ａと係合凸部４ｂとを有している。表面板の係合凸部３ｂと窓部材の切り欠き凹部４ａとが係合し、窓部材の係合凸部４ｂと表面板の切り欠き凹部３ｂとが係合することにより、窓部材４と表面板３が段差なく連結することになる。
【００２９】
少なくとも窓部材の切り欠き凹部４ａが表面板の係合凸部３ｂをぴったり格納できるようなサイズであることにより、表面板３の外側表面と窓部材４との外側表面とは同一平面上に存在することになる。このために窓部材の切り欠き凹部４ａの高さｈ２は、表面板の係合凸部３ｂの厚みｈ１と等しいかわずかに大きいように構成されている。
【００３０】
窓部材の係合凸部４ｂは、表面板の係合凸部３ｂと芯材２との間に挟まれて固定される。この構成により、窓部材の係合凸部４ｂは両側から強固に固定され、窓部材４が、表側からかかる力と裏側からかかる力の両方に対向できるように固定されることになる。
【００３１】
図４ａ、４ｂに示す例においては、表面板３と窓部材４は同じ厚みである。表面板３と窓部材４が同じ厚みであることにより、表面板３と窓部材４の内面も段差無く同一平面上に存在している。この場合、窓部材の切り欠き凹部４ａの高さｈ２が、窓部材の係合凸部３ｂの厚みｈ１と等しいかわずかに大きいように構成されるとともに、表面板の切り欠き凹部３ａの高さｈ３が、窓部材の係合凸部４ｂの厚みｈ４と等しいかわずかに大きいように構成される。表面板３と窓部材４の内面が同一平面上にあることにより、芯材２の一面（接着面）が、表面板３と窓部材４の内面に段差無く一直線に接することができる。この構成によって、窓部材の係合凸部４ｂならびに窓部材４を、表面板３と芯材２によって強固に固定することが可能となる。
【００３２】
芯材２と表面板３は接着剤１２により固定されている。表面板３が、化粧合板である場合、酢酸ビニル樹脂系エマルジョン型接着剤を接着剤１２に使用することができる。
【００３３】
図４ｂに示す例においては、窓部材の係合凸部４ｂの両側にも接着剤１１が使用されており、窓部材の係合凸部４ｂと芯材２および表面板３とが接着されている。表面板３と、芯材２（窓部材を挟むもの）の接着面積が大きい場合は、接着剤１２の使用のみでも窓部材４を十分固定できるが、接着剤１１を併せて使用することによって、より強固に窓部材４を固定することができる。この接着剤１１は、窓部材の係合凸部４ｂが、芯材２と表面板の係合凸部３ｂとの間で隙間なく固定されるように機能する。窓部材４がアクリル板で、表面板３が化粧合板である場合、接着剤１１にはシリル化ウレタン樹脂系接着剤を使用することができる。
【００３４】
図５には、一面にのみ窓部材４を有する本考案のフラッシュパネルを、窓部材４が取り付けられた面の反対側の面の方から見た斜視図である。窓部材４から垂直に延びる芯材４の四方の木口には、化粧材５が貼られている。図５に示す例では、窓部材４が無い表面材３と芯材２の木口は垂直に交わっているが、芯材２の木口と表面材３との交点に面取り加工を行ったり、表面材３と木口が、１００度や１２０度など９０度以上の角度で交わるように加工することも可能である。
【００３５】
図４ａ、４ｂに示すような、本考案の窓部材４の連結技術は、製造工程において窓部材４の連結が迅速に容易に行えるという大きな利点も有する。例えば、一般的な本実加工（さね加工）（隣り合うフローリング材の連結部分に一般的に用いられる加工）のように、窓部材の断面中央に凸部を設け、表面板の断面中央に凹部を設けて連結させた場合、表面板を貼る工程と窓部材を固定する工程が非常に面倒なものになる。このような場合、窓部分の上下左右４枚に表面板を分割して加工を行い、それぞれ上下左右から加工した表面板を窓部材に連結させて、それから表面板と窓部材を芯材に接着して固定することが必要となる。
【００３６】
これに対して、本考案の階段状の窓部材の切り欠き凹部４ａと係合凸部４ｂと、階段状の表面板の切り欠き凹部３ａと係合凹部３ｂが連結する構成においては、表面板を上下左右に分割する必要がない。切り欠き加工を行った１枚の表面板３に加工した窓部材４をそのままはめ込むことが可能であり、この状態で表面板３と芯材２とを接着させることができる。すなわち、表面板３と芯材２を固定する工程と、窓部材４を連結固定する工程とを同時に行うことができ、作業の能率、効率が大幅に改善されることになる。また、当然のことであるが、本考案は、飾り縁などのモール材を用いて窓部材を固定するフラッシュパネルの製造工程よりも、容易に効率よく窓部材を固定して製造することができる。
【００３７】
本考案により、モール材等を必要とせずに、窓部材をフラッシュパネルに固定することができ、窓部材の外側表面と、一方の表面板の外側表面とを段差無く同一平面上に構成することが可能となる。
【００３８】
さらに本考案の窓部材は、芯材と表面板の係合凸部によって挟まれて両側から固定されることにより、窓にかかる両側からの力に対向することができ、強固に固定されて耐久性に優れている。
【００３９】
また、本考案により、窓部材の連結の工程を、表面板の芯材への接着固定の工程と同時に行うことが可能となり、作業効率が改善することになる。
【００４０】
以上、図面を参照して本考案のフラッシュパネルを詳細に説明したが、本考案に係る窓部材を有するフラッシュパネルは図示した実施例のみに限定されない。当業者は、実用新案登録請求の範囲に示した本考案の範囲を逸脱せずに、本考案の固定装置に変形を加えることができると理解されるべきである。
【符号の説明】
【００４１】
１      フラッシュパネル
２      芯材
３      表面板
３ａ    表面板の切り欠き凹部
３ｂ    表面板の係合凸部
４      窓部材切り欠き凹部
４ａ    窓部材の係合凸部
５      化粧材
６      開口部
１１    窓部材に使用する接着剤
１２    表面板と芯材との間の接着剤
ｈ１    表面板の係合凸部の厚み
ｈ２    窓部材の切り欠き凹部の高さ
ｈ３    表面板の切り欠き凹部の高さ
ｈ４    窓部材の係合凹部の厚み
【図１】
0003213833.tif 000003
【図２】
0003213833.tif 000004
【図３】
0003213833.tif 000005
【図４ａ】
0003213833.tif 000006
【図４ｂ】
0003213833.tif 000007
【図５】
0003213833.tif 000008
【手続補正書】
【提出日】平成29年10月3日(2017.10.3)
【手続補正１】
【補正対象書類名】実用新案登録請求の範囲
【補正対象項目名】請求項８
【補正方法】変更
【補正の内容】
【請求項８】
請求項７に記載のフラッシュパネルにおいて、前記表面板が前記芯材に酢酸化ビニル樹脂系エマルジョン系接着剤で固定され、前記アクリル樹脂板が前記表面板の係合凸部と前記芯材との間でシリル化ウレタン樹脂系接着剤によって固定されていることを特徴とするフラッシュパネル。